(57)【要約】【課題】香気成分を十分に拡散しつつ使用者を楽しませることのできる芳香器を提供することを課題とする。【解決手段】芳香器であって、回転すると自立するコマ本体と、前記コマ本体から上方へ突出し、使用者が摘んで前記コマ本体を回転させるための軸と、前記コマ本体の前記軸周辺に形成され、芳香液を受容するための凹状の受容部と、前記コマ本体の外周部分に形成されており、前記コマ本体と共に回転すると、前記芳香液を受容した前記受容部周辺の空気を拡散する気流を発生させる羽根と、を備える。【選択図】図１
2014161564.tif 000002
【特許請求の範囲】
【請求項１】
回転すると自立するコマ本体と、
前記コマ本体から上方へ突出し、使用者が摘んで前記コマ本体を回転させるための軸と、
前記コマ本体の前記軸周辺に形成され、芳香液を受容するための凹状の受容部と、
前記コマ本体の外周部分に形成されており、前記コマ本体と共に回転すると、前記芳香液を受容した前記受容部周辺の空気を拡散する気流を発生させる羽根と、を備える、
芳香器。
【請求項２】
前記受容部は、前記コマ本体の回転に伴い遠心力の作用する前記芳香液が、前記コマ本体の回転中において前記受容部内に保持される程度に、前記受容部の開口部分が前記受容部の内部空間より狭く形成されている、
請求項１に記載の芳香器。
【請求項３】
前記受容部は、前記芳香液を保持する凹凸が前記受容部の内面の少なくとも一部の領域に形成されている、
請求項１または２に記載の芳香器。
【請求項４】
前記受容部は、前記芳香器の少なくとも一部を造形し且つ前記芳香液が浸透可能な粉末の結合体が、前記受容部の内面の少なくとも一部の領域で露出している、
請求項１から３の何れか一項に記載の芳香器。
【請求項５】
前記羽根は、前記コマ本体と共に回転すると、前記芳香液を受容する前記受容部周辺の空気を前記受容部の上方へ拡散する気流を発生させる、
請求項１から４の何れか一項に記載の芳香器。
【発明の詳細な説明】
【技術分野】
【０００１】
本発明は、芳香器に関する。
【背景技術】
【０００２】
従来より、花や木などの植物やその他各種の原料に由来する芳香料を用いて嗅覚を刺激し、心身のリラックスや美容の増進を図る行為が行われている。芳香料から香気成分を揮発させる器具類としては、例えば、各種の熱源を利用して芳香料を加熱し、香気成分を揮発させるものや、ファンで発生させた気流を使って香気成分を強制的に拡散させるもの（例えば、特許文献１を参照）、或いは動力を使わないで香気成分を自然に拡散させるもの（例えば、特許文献２を参照）が提案されている。
【先行技術文献】
【特許文献】
【０００３】
【特許文献１】特許第３６９１４１１号公報
【特許文献２】特開２００９−１１２９０３号公報
【発明の概要】
【発明が解決しようとする課題】
【０００４】
芳香料を用いて嗅覚を刺激し、心身のリラックスや美容の増進を図る行為を行う場合、香気成分を嗅覚で感受する人が楽しみながら行うことが肝要であり、心身のリラックス効果や美容の増進効果を図る上でも有効である。しかし、各種の熱源を利用して芳香料を加熱し、香気成分を揮発させるものは、安全性との兼ね合いもあるため、人を楽しませるべく奇抜な構成を採用することが難しい。また、ファンで発生させた気流を使って香気成分を強制的に拡散させるものは、ファンを回転させる動力源の騒音や振動等が不可避的に発生するため、人を十分に楽しませるべく、騒音や振動等が人に与える不快感を十分に抑制することが難しい。また、動力を使わないで香気成分を自然に拡散させるものは、香気成分の拡散量が少ないため、嗅覚を十分に刺激することが難しい。
【０００５】
本発明は、このような課題に鑑みてなされたものであり、香気成分を十分に拡散しつつ使用者を楽しませることのできる芳香器を提供することを課題とする。
【課題を解決するための手段】
【０００６】
上記課題を解決するため、本発明では、回転すると自立するコマ本体に、芳香液を受容するための受容部を形成し、又、コマ本体の外周部分にコマ本体と共に回転する羽根を設けることにした。
【０００７】
詳細には、芳香器であって、回転すると自立するコマ本体と、前記コマ本体から上方へ突出し、使用者が摘んで前記コマ本体を回転させるための軸と、前記コマ本体の前記軸周辺に形成され、芳香液を受容するための凹状の受容部と、前記コマ本体の外周部分に形成されており、前記コマ本体と共に回転すると、前記芳香液を受容した前記受容部周辺の空気を拡散する気流を発生させる羽根と、を備える。
【０００８】
上記芳香器であれば、軸を摘んでコマ本体を回転させるという行為を使用者が行うため、芳香器を回して遊ぶことが出来る。そして、コマ本体の外周部分には、コマ本体と共に回転する羽根が設けられているため、芳香器を回している間、芳香液を受容する受容部周辺の空気を拡散する気流が発生することになる。従って、コマ本体に形成されている受容部に芳香液を入れた状態で軸を摘み、コマ本体を回転させれば、芳香器を回して遊びつつ
、受容部周辺に発生する気流により、受容部に受容されている香気成分を積極的に拡散させることができる。すなわち、上記芳香器は、コマ回しという遊戯的な側面と、羽根が発生する気流で香気成分の拡散を促進するという芳香器本来の機能的な側面とが有機的に作用し、相乗的な効果を発揮することになる。この結果、香気成分を十分に拡散しつつ使用者を楽しませることが可能となる。
【０００９】
なお、前記受容部は、前記コマ本体の回転に伴い遠心力の作用する前記芳香液が、前記コマ本体の回転中において前記受容部内に保持される程度に、前記受容部の開口部分が前記受容部の内部空間より狭く形成されていてもよい。受容部の開口部分が受容部の内部空間より狭く形成されていれば、受容部の開口部分が受容部の内部空間と同等の大きさ、或いは受容部の開口部分が受容部の内部空間より広く形成されている場合に比べて、受容部内の芳香液が開口部分から外側へ流出する可能性が低い。このため、使用者が受容部に芳香液を滴下した後に軸を摘んでコマ本体を回しても、芳香液が受容部の開口部分から外側へ飛び出す虞が無い。
【００１０】
また、前記受容部は、前記芳香液を保持する凹凸が前記受容部の内面の少なくとも一部の領域に形成されていてもよい。受容部の内面の少なくとも一部の領域が凹凸で形成されていれば、当該領域が平坦な場合に比べて、受容部の内面に物理吸着する芳香液の接触面積が広くなるため、芳香液と受容部の内面との間に働くファンデルワールス力が増大する。このため、使用者が受容部に芳香液を滴下した後に軸を摘んでコマ本体を回しても、芳香液が受容部の内面に保持され、開口部分から外側へ飛び出す虞が低減する。
【００１１】
また、前記受容部は、前記芳香器の少なくとも一部を造形し且つ前記芳香液が浸透可能な粉末の結合体が、前記受容部の内面の少なくとも一部の領域で露出していてもよい。受容部の内面の少なくとも一部の領域で粉末の結合体が露出していれば、芳香液が結合体の表面に物理吸着し或いは結合体の内部に浸透可能なようにすることができる。このため、使用者が受容部に芳香液を滴下した後に軸を摘んでコマ本体を回しても、芳香液が受容部の内面に保持され、開口部分から外側へ飛び出す虞が低減する。
【００１２】
また、前記羽根は、前記コマ本体と共に回転すると、前記芳香液を受容する前記受容部周辺の空気を前記受容部の上方へ拡散する気流を発生させていてもよい。コマ本体が回転した場合に、受容部周辺の空気が受容部の上方へ拡散する気流を羽根が発生すれば、例えば、受容部周辺の空気が受容部の外周部分へ放射状に拡散する気流を発生させる場合に比べて気流が広範囲に広がらないため、香気成分が希釈されにくい。そのため、気流に含まれる香気成分を使用者が強く感じ取ることが可能となる。
【発明の効果】
【００１３】
上記芳香器であれば、香気成分を十分に拡散しつつ使用者を楽しませることが可能となる。
【図面の簡単な説明】
【００１４】
【図１】実施形態に係る芳香器を示した図である。
【図２】実施形態に係る芳香器の内部構造を示した図である。
【図３】実施形態に係る芳香器を回転させた場合に発生する気流の一例を示した図である。
【図４】第１変形例に係る芳香器である。
【図５】第２変形例に係る芳香器である。
【図６】第３変形例に係る芳香器である。
【図７】第４変形例に係る芳香器である。
【図８】第５変形例に係る芳香器である。
【図９】第６変形例に係る芳香器である。
【図１０】第７変形例に係る芳香器である。
【図１１】第８変形例に係る芳香器である。
【図１２】第９変形例に係る芳香器である。
【図１３】第１０変形例に係る芳香器である。
【図１４】第１１変形例に係る芳香器である。
【図１５】第１２変形例に係る芳香器である。
【図１６】第１３変形例に係る芳香器である。
【発明を実施するための形態】
【００１５】
以下、本願発明の実施形態について説明する。以下に示す実施形態は、本願発明の一態様を示すものであり、本願発明の技術的範囲を以下の実施形態に限定するものではない。
【００１６】
図１は、実施形態に係る芳香器を示した図である。芳香器１は、コマのような外観を呈する芳香器であり、コマ本体２と軸３と受容部４と羽根５とを備える。コマ本体２は、回転すると自立する。また、軸３は、コマ本体２から上方へ突出し、使用者が摘んでコマ本体２を回転させるためのものである。また、受容部４は、コマ本体２の軸３周辺に形成され、芳香液を受容するための凹状の部分である。また、羽根５は、コマ本体２の外周部分に形成されており、コマ本体２と共に回転すると、芳香液を受容した受容部４周辺の空気を拡散する気流を発生させるものである。なお、軸３は、使用者が摘んでコマ本体２を回転させやすいように軸３の先端付近が太く形成されているのに対し、受容部４に芳香液を滴下させやすいよう軸３の付け根付近が細く形成されている。
【００１７】
図２は、実施形態に係る芳香器１の内部構造を示した図である。芳香器１の受容部４は、コマ本体２の回転に伴い遠心力の作用する芳香液が、コマ本体２の回転中において受容部４内に保持される程度に、受容部４の開口部分が受容部４の内部空間より狭く形成されている。受容部４の開口部分が受容部４の内部空間より狭く形成されていれば、受容部４の開口部分が受容部４の内部空間と同等の大きさ、或いは受容部４の開口部分が受容部４の内部空間より広く形成されている場合に比べて、受容部４内の芳香液が開口部分から外側へ流出する可能性が低い。このため、使用者が受容部４に芳香液を滴下した後に軸３を摘んでコマ本体２を回しても、芳香液が受容部４の開口部分から外側へ飛び出す虞が無い。
【００１８】
また、受容部４は、芳香液を保持する凹凸が受容部４の内面全体に形成されている。受容部４の内面全体が凹凸で形成されていれば、受容部４の内面全体が平坦な場合に比べて、受容部４の内面に物理吸着する芳香液の接触面積が広くなるため、芳香液と受容部４の内面との間に働くファンデルワールス力が増大する。このため、使用者が受容部４に芳香液を滴下した後に軸３を摘んでコマ本体２を回しても、芳香液が受容部４の内面に保持され、開口部分から外側へ飛び出す虞が低減する。
【００１９】
なお、受容部４は、受容部４の開口部分が受容部４の内部空間より狭く形成されている態様に限定されるものでない。受容部４は、コマ本体２の回転に伴い遠心力の作用する芳香液が、コマ本体２の回転中において受容部４内に保持可能であれば、例えば、受容部４の開口部分が受容部４の内部空間と同等の大きさ、或いは受容部４の開口部分が受容部４の内部空間より広く形成されていてもよい。受容部４の開口部分が受容部４の内部空間と同等の大きさ、或いは受容部４の開口部分が受容部４の内部空間より広く形成されていても、コマ本体２の回転に伴い遠心力の作用する芳香液が、コマ本体２の回転中において受容部４内に保持されるためには、例えば、受容部４の深さを深くしたり、粘度の高い芳香液を用いたり、受容部４の内面に形成する凹凸の高低差を大きくしたり、受容部４の内面を親油性の素材で形成したり、芳香液が浸透する素材で受容部４の内面を形成したりすれ
ばよい。
【００２０】
また、受容部４は、凹凸が受容部４の内面全体に形成されている態様に限定されるものではない。受容部４は、芳香液を保持可能であれば、例えば、芳香液を保持する凹凸が受容部の内面に形成されていないか、或いは芳香液を保持する凹凸が受容部の内面の少なくとも一部の領域にのみ形成されていてもよい。
【００２１】
ところで、芳香器１は、如何なる方法で作成してもよいが、例えば、ナイロン樹脂等の粉末を積層しながらレーザーで焼結させて造形を行う粉末積層造形等の方法を用いれば、射出成形等の方法を用いる場合よりも複雑な形状を造形可能であり又少量多品種生産を行いたい場合に有利である。ナイロン樹脂の粉末をレーザーで焼結した結合体は、粉末材料の性状や照射するレーザーの強度等を適宜調整することにより、芳香液が結合体の表面に物理吸着しやすい性状或いは結合体の内部に浸透可能な性状を呈するようにすることができる。よって、芳香器１を、例えば、ナイロン樹脂の粉末を用いた粉末積層造形にて作成し、芳香器１の表面に何らコーティング等を施さないようにした場合、レーザーで焼結されたナイロン樹脂の結合体を受容部の内面に露出させることで、コマ本体２の回転に伴い芳香液に遠心力が作用しても、芳香液が受容部４内に保持されやすくなる。なお、芳香器１の一部または全部を仮に樹脂等の粉末の結合体で形成した場合であっても、受容部４は、粉末の結合体が受容部４の内面全体で露出させなくてもよく、例えば、受容部４の内面がコーティング剤等によって部分的にコーティングされており、粉末の結合体が受容部４の内面の一部の領域で露出していてもよい。
【００２２】
図３は、実施形態に係る芳香器１を回転させた場合に発生する気流の一例を示した図である。羽根５は、上面側の翼面が軸３を右回りする方向に向かって傾斜している。よって、軸３を摘んだ使用者がコマ本体２を右回りに回転させると、羽根５は、芳香液を受容する受容部４周辺の空気を受容部４の上方へ拡散する気流を発生させることになる。このため、受容部４に芳香液を滴下してから芳香器１を回転させると、芳香器１は、芳香液から揮発した香気成分を羽根５が発生させる気流に乗せて周囲に拡散させることになる。コマ本体２が回転した場合に、受容部４周辺の空気が受容部４の上方へ拡散する気流を羽根５が発生すれば、例えば、受容部４周辺の空気が受容部４の側方へ放射状に拡散する気流を発生させる場合に比べると気流が広範囲に広がらないため、香気成分が希釈されにくい。そのため、受容部４周辺の空気が受容部４の上方へ拡散すれば、気流に含まれる香気成分を使用者が強く感じ取ることが可能となる。
【００２３】
なお、本実施形態に係る芳香器１は、右に回転すると上方への気流が発生するように羽根５が形成されている。しかし、芳香器１は、左に回転すると上方への気流が発生するように羽根５を形成してもよい。左に回転すると上方への気流が発生するように羽根５が形成されていれば、左利きの人にとって便利である。また、本実施形態に係る芳香器１の使用方法は、右に回転させるものに限る必要は無く、左に回転させてもよい。
【００２４】
上記実施形態に係る芳香器１であれば、軸３を摘んでコマ本体２を回転させるという行為を使用者が行うため、芳香器１を回して遊ぶことが出来る。そして、コマ本体２の外周部分には、コマ本体２と共に回転する羽根５が設けられているため、芳香器１を回している間、芳香液を受容する受容部４周辺の空気を拡散する気流が発生することになる。従って、コマ本体２に形成されている受容部４に芳香液を入れた状態で軸を摘み、コマ本体２を回転させれば、芳香器１を回して遊びつつ、受容部４周辺に発生する気流により、受容部４に受容されている香気成分を自然に拡散させる場合よりも多く拡散させることができる。すなわち、上記芳香器１は、コマ回しという遊戯的な側面と、羽根５が発生する気流で香気成分の拡散を促進するという芳香器１本来の機能的な側面とが有機的に作用し、相乗的な効果を発揮することになる。この結果、香気成分を十分に拡散しつつ使用者を楽し
ませることが可能となる。
【００２５】
なお、上記実施形態に係る芳香器１は、図１に示したような形態に限定されるものではない。以下、芳香器１の変形例について示す。
【００２６】
図４は、第１変形例に係る芳香器１である。また、図５は、第２変形例に係る芳香器１である。第１及び第２変形例に係る芳香器１は、実施形態に係る芳香器１と同様、コマ本体２と軸３と受容部４と羽根５とを備えており、香気成分を十分に拡散しつつ使用者を楽しませることが可能である。但し、第１及び第２変形例に係る芳香器１は、受容部４の開口部分が受容部４の内部空間より広く形成されている。受容部４は、例えば、受容部４の内面に形成した凹凸等により、芳香液がコマ本体２の回転中においても受容部４内に保持可能であれば、本第１及び第２変形例に係る芳香器１のように、受容部４の開口部分が受容部４の内部空間より広く形成されていてもよい。
【００２７】
図６は、第３変形例に係る芳香器１である。第３変形例に係る芳香器１は、実施形態に係る芳香器１と同様、コマ本体２と軸３と受容部４と羽根５とを備えており、香気成分を十分に拡散しつつ使用者を楽しませることが可能である。但し、第３変形例に係る芳香器１では、羽根５が上下両側に翼面を形成しておらず、コマ本体２の表面を隆起させた形態を採っている。芳香器１は、羽根５がこのような形態を採っていても、芳香液を受容する受容部４周辺の空気を拡散する気流を発生させて、香気成分を十分に拡散させることが可能である。
【００２８】
図７は、第４変形例に係る芳香器１である。第４変形例に係る芳香器１は、実施形態に係る芳香器１と同様、コマ本体２と軸３と受容部４と羽根５とを備えており、香気成分を十分に拡散しつつ使用者を楽しませることが可能である。但し、第４変形例に係る芳香器１では、羽根５がコマ本体２の外周部分のみならず、コマ本体２の下側にも形成されている。芳香器１は、羽根５がこのような形態を採っていても、芳香液を受容する受容部４周辺の空気を拡散する気流を発生させて、香気成分を十分に拡散させることが可能である。
【００２９】
図８は、第５変形例に係る芳香器１である。第５変形例に係る芳香器１は、実施形態に係る芳香器１と同様、コマ本体２と軸３と受容部４と羽根５とを備えており、香気成分を十分に拡散しつつ使用者を楽しませることが可能である。第５変形例に係る芳香器１では、実施形態や第１−２，４変形例に係る芳香器１のように、円弧状の羽根５の長手方向の両端がコマ本体２に繋がる態様を採っておらず、略半円形状の羽根５がコマ本体２に固定される形態を採っている。芳香器１は、羽根５がこのような形態を採っていても、芳香液を受容する受容部４周辺の空気を拡散する気流を発生させて、香気成分を十分に拡散させることが可能である。
【００３０】
図９は、第６変形例に係る芳香器１である。第６変形例に係る芳香器１は、実施形態に係る芳香器１と同様、コマ本体２と軸３と受容部４と羽根５とを備えており、香気成分を十分に拡散しつつ使用者を楽しませることが可能である。第６変形例に係る芳香器１では、各羽根５の形態が同じではなく、大きさが相違する水玉形状の翼板を多数組み合わせた形態を採っている。芳香器１は、各羽根５がこのような形態を採っていても、芳香液を受容する受容部４周辺の空気を拡散する気流を発生させて、香気成分を十分に拡散させることが可能である。
【００３１】
図１０は、第７変形例に係る芳香器１である。また、図１１は、第８変形例に係る芳香器１である。また、図１２は、第９変形例に係る芳香器１である。第７−９変形例に係る芳香器１は、実施形態に係る芳香器１と同様、コマ本体２と軸３と受容部４と羽根５とを備えており、香気成分を十分に拡散しつつ使用者を楽しませることが可能である。但し、
第７−９変形例に係る芳香器１では、受容部４が単なる凹状に形成されておらず、軸３の周りを取り囲むような形態を成す隆起が受容部４の底面の周縁よりやや内側に形成されている。受容部４は、例えば、受容部４の内面に凹凸等を形成することにより、芳香液がコマ本体２の回転中においても受容部４内に保持可能であれば、本第７−９変形例に係る芳香器１のように、受容部４の底面のうち一部が隆起していてもよい。
【００３２】
図１３は、第１０変形例に係る芳香器１である。第１０変形例に係る芳香器１は、実施形態に係る芳香器１と同様、コマ本体２と軸３と受容部４と羽根５とを備えており、香気成分を十分に拡散しつつ使用者を楽しませることが可能である。第１０変形例に係る芳香器１では、受容部４の開口部分を羽根５の一部で取り囲むことにより、受容部４の開口部分を受容部４の内部空間より狭く形成している。芳香器１は、受容部４がこのような形態を採っていても、芳香器１の回転中に芳香液を受容部４内に保持可能である。
【００３３】
図１４は、第１１変形例に係る芳香器１である。また、図１５は、第１２変形例に係る芳香器１である。第１１及び第１２変形例に係る芳香器１は、実施形態に係る芳香器１と同様、コマ本体２と軸３と受容部４と羽根５とを備えており、香気成分を十分に拡散しつつ使用者を楽しませることが可能である。第１１及び第１２変形例に係る芳香器１では、受容部４の底面を細かい凹凸のみで形成するのではなく、羽根５のデザインのイメージを取り入れた形態を採っている。芳香器１は、受容部４がこのような形態を採っていても、芳香器１の回転中に芳香液を受容部４内に保持可能である。
【００３４】
図１６は、第１３変形例に係る芳香器１である。第１３変形例に係る芳香器１は、実施形態に係る芳香器１と同様、コマ本体２と軸３と受容部４と羽根５とを備えており、香気成分を十分に拡散しつつ使用者を楽しませることが可能である。第１３変形例に係る芳香器１では、受容部４の開口部分が上記実施形態や各変形例に係る芳香器１よりも狭く形成されている。芳香器１は、受容部４内に芳香液を滴下可能であれば、受容部４の開口部分が少々狭くてもよい。
【００３５】
なお、芳香器１は、上記実施形態や各変形例として示したような態様に限定されるものでなく、その他の様々な形状等を呈するものであってもよい。
【符号の説明】
【００３６】
１・・芳香器：２・・コマ本体：３・・軸：４・・受容部：５・・羽根
【図１】
2014161564.tif 000003
【図２】
2014161564.tif 000004
【図３】
2014161564.tif 000005
【図４】
2014161564.tif 000006
【図５】
2014161564.tif 000007
【図６】
2014161564.tif 000008
【図７】
2014161564.tif 000009
【図８】
2014161564.tif 000010
【図９】
2014161564.tif 000011
【図１０】
2014161564.tif 000012
【図１１】
2014161564.tif 000013
【図１２】
2014161564.tif 000014
【図１３】
2014161564.tif 000015
【図１４】
2014161564.tif 000016
【図１５】
2014161564.tif 000017
【図１６】
2014161564.tif 000018